(57)【要約】      （修正有）【課題】ユーザに対する環境変化の影響を軽減することができる情報処理装置、情報処理方法及びプログラムを提供する。【解決手段】情報処理装置１０は、ユーザの少なくとも血圧を含む生体情報を取得する生体情報取得部４１と、環境に関する環境情報を取得する環境情報取得部４３と、生体情報及び環境情報に基づいて、環境に対する前記ユーザの感受性を判定する判定部４５と、ユーザに血圧の変動を引き起こす可能性がある外的要因に関連する外部情報を取得する外部情報取得部４４と、感受性及び外部情報に基づいて、ユーザが接する環境を制御するための制御情報を生成する制御情報生成部４６と、を備える。【選択図】図６
2018194206.tif 000002
【特許請求の範囲】
【請求項１】
ユーザの少なくとも血圧を含む生体情報を取得する生体情報取得部と、
環境に関する環境情報を取得する環境情報取得部と、
前記生体情報及び前記環境情報に基づいて、前記環境に対する前記ユーザの感受性を判定する判定部と、
前記ユーザに血圧の変動を引き起こす可能性がある外的要因に関連する外部情報を取得する外部情報取得部と、
前記感受性及び前記外部情報に基づいて、前記ユーザが接する環境を制御するための制御情報を生成する制御情報生成部と、
を備える情報処理装置。
【請求項２】
前記判定部は、少なくとも気温に対する前記ユーザの感受性を判定し、
前記外部情報取得部は、前記外部情報として少なくとも気温に関する情報を取得し、
前記制御情報生成部は、前記気温に対する感受性及び前記外部情報に基づいて、前記ユーザが接する環境の温度を制御するための制御情報を生成し出力する、
請求項１に記載の情報処理装置。
【請求項３】
前記制御情報生成部は、前記ユーザの感受性及び前記外部情報に基づいて、前記ユーザが屋内外または屋内の部屋間を移動する場合に移動前の空間の気温と移動後の空間の気温との差を小さくするための制御情報を生成する、
請求項２に記載の情報処理装置。
【請求項４】
前記感受性及び前記外部情報に基づいて、環境変化に対する前記ユーザの対応を支援するためのアドバイス情報を生成するアドバイス情報生成部を、さらに備える、
請求項１乃至３の何れか１項に記載の情報処理装置。
【請求項５】
前記アドバイス情報生成部は、歩行速度、服装又は移動ルートの何れかに関するアドバイス情報を生成する、
請求項４に記載の情報処理装置。
【請求項６】
前記ユーザの体の動きを表す動き情報を取得する動き情報取得部を、さらに備え、
前記判定部は、前記生体情報、前記環境情報および前記動き情報に基づいて、前記環境に対する前記ユーザの感受性を判定する、
請求項１乃至５の何れか１項に記載の情報処理装置。
【請求項７】
情報処理装置が、ユーザの少なくとも血圧を含む生体情報を取得する過程と、
前記情報処理装置が、環境に関する環境情報を取得する過程と、
前記情報処理装置が、前記生体情報及び前記環境情報に基づいて、前記環境に対する前記ユーザの感受性を判定する過程と、
前記情報処理装置が、前記ユーザに血圧の変動を引き起こす可能性がある外的要因に関連する外部情報を取得する過程と、
前記情報処理装置が、前記感受性及び前記外部情報に基づいて、前記ユーザが接する環境を制御するための制御情報を生成する過程と、
を備える情報処理方法。
【請求項８】
請求項１乃至６の何れか１項に記載の情報処理装置が備える各部としてプロセッサを機能させるプログラム。
【発明の詳細な説明】
【技術分野】
【０００１】
この発明は、ユーザの周囲環境を調整する機能を有する情報処理装置、情報処理方法及びプログラムに関連する。
【背景技術】
【０００２】
一般に、ユーザは、家屋やオフィスで、各種冷暖房機器を用いて、屋内の温度や湿度を予め設定した値となるように制御する。このため、ユーザは、屋内に存在している限り、体への負担の少ない快適な住環境のもとで生活することができる。
【先行技術文献】
【特許文献】
【０００３】
【特許文献１】特開２０１６−２０３７３７号公報
【発明の概要】
【発明が解決しようとする課題】
【０００４】
しかし、屋内から屋外へ出る場合や屋外から屋内に入る場合に、ユーザは、急激な温度変化の影響を受ける場合がある。また、屋内であっても温度制御がなされている部屋からそうでない部屋に移動する場合、又は、その反対方向に移動する場合にも、ユーザは、同様の影響を受ける場合がある。急激な温度変化に晒されると、ユーザによっては、血圧が急激に上昇して、脳心血管イベントの発症リスクが高くなり、非常に好ましくない。  
そこで、本発明は、ユーザに対する環境変化の影響を軽減することができる情報処理装置、情報処理方法及びプログラムを提供する。
【課題を解決するための手段】
【０００５】
上記課題を解決するために第１の形態に係る情報処理装置は、ユーザの少なくとも血圧を含む生体情報を取得する生体情報取得部と、環境に関する環境情報を取得する環境情報取得部と、前記生体情報及び前記環境情報に基づいて、前記環境に対する前記ユーザの感受性を判定する判定部と、前記ユーザに血圧の変動を引き起こす可能性がある外的要因に関連する外部情報を取得する外部情報取得部と、前記感受性及び前記外部情報に基づいて、前記ユーザが接する環境を制御するための制御情報を生成する制御情報生成部と、を備える。
【０００６】
第２の形態に係る前記判定部は、少なくとも気温に対する前記ユーザの感受性を判定し、前記外部情報取得部は、前記外部情報として少なくとも気温に関する情報を取得し、前記制御情報生成部は、前記気温に対する感受性及び前記外部情報に基づいて、前記ユーザが接する環境の温度を制御するための制御情報を生成し出力する。
【０００７】
第３の形態に係る前記制御情報生成部は、前記ユーザの感受性及び前記外部情報に基づいて、前記ユーザが屋内外または屋内の部屋間を移動する場合に移動前の空間の気温と移動後の空間の気温との差を小さくするための制御情報を生成する。
【０００８】
第４の形態に係る情報処理装置は、前記感受性及び前記外部情報に基づいて、環境変化に対する前記ユーザの対応を支援するためのアドバイス情報を生成するアドバイス情報生成部を、さらに備える。
【０００９】
第５の形態に係る前記アドバイス情報生成部は、歩行速度、服装又は移動ルートの何れかに関するアドバイス情報を生成する。
【００１０】
第６の形態に係る情報処理装置は、前記ユーザの体の動きを表す動き情報を取得する動き情報取得部を、さらに備え、前記判定部は、前記生体情報、前記環境情報および前記動き情報に基づいて、前記環境に対する前記ユーザの感受性を判定する。
【発明の効果】
【００１１】
第１の形態によれば、情報処理装置は、ユーザごとに、環境に対するユーザの感受性が判定される。情報処理装置は、この感受性の判定結果とユーザが血圧の急激な変動を引き起こす可能性がある外的要因を表す外部情報とに基づいて、ユーザの周囲環境を制御する。その結果、情報処理装置は、ユーザが受ける環境変化の影響を軽減することができる。そのため、情報処理装置は、ユーザの急激な血圧変動を抑え、脳心血管イベントの発症リスクを軽減することができる。
【００１２】
第２の形態によれば、情報処理装置は、少なくとも気温に関するユーザの感受性を判定する。情報処理装置は、外部情報として少なくとも気温に関する情報を取得する。情報処理装置は、これらの情報に基づいてユーザの周囲の気温を制御する。
【００１３】
第３の形態によれば、情報処理装置は、屋内外または屋内の異なる部屋間の気温差が、ユーザの気温感受性に応じた値より小さくなるように制御する。このため、ユーザは、屋内から屋外へまたは屋外から屋内へ移動する際、もしくは屋内の異なる部屋間を移動する際に、自身の気温感受性において許容可能な気温変化を受けるだけで済む。このため、情報処理装置は、移動によりユーザが受ける気温変化の影響を軽減し、ユーザの急激な血圧変動を抑えることができる。その結果、情報処理装置は、脳心血管イベントの発症リスクを効果的に軽減することができる。
【００１４】
第４の形態によれば、情報処理装置は、環境変化に対するユーザの対応を支援するためのアドバイス情報を生成し出力する。その結果、ユーザは、上記アドバイス情報により、例えば屋内外を移動する際に事前に環境変化に対応することが可能となる。従って、情報処理装置は、これにより環境変化の影響を軽減することができる。
【００１５】
第５の形態によれば、情報処理装置は、歩行速度、服装又は移動ルートに関するアドバイス情報を生成する。その結果、ユーザは、上記アドバイス情報に従い、歩行速度、服装または移動ルートを調整することができる。従って、情報処理装置は、環境変化の影響を効果的に軽減することが可能となる。
【００１６】
第６の形態によれば、情報処理装置は、ユーザの動きにさらに基づいて感受性を判定する。その結果、情報処理装置は、ユーザの動きによって生じた血圧の変化を考慮してより正確な感受性の判定を行うことができる。
【図面の簡単な説明】
【００１７】
【図１】図１は、制御システムの構成例を概略的に示す図である。
【図２】図２は、サーバ装置の構成例を示すブロック図である。
【図３】図３は、検出装置の構成例を示すブロック図である。
【図４】図４は、携帯端末の構成例を示すブロック図である。
【図５】図５は、住宅の構成例を示す図である。
【図６】図６は、サーバ装置の機能の構成例を示すブロック図である。
【図７】図７は、サーバ装置の動作例を示すフローチャートである。
【発明を実施するための形態】
【００１８】
以下、この発明の一実施形態について、図面を参照して説明する。  
一実施形態に係る制御システムは、種々の情報に基づいて、住宅に関する温度を制御する。たとえば、制御システムは、住宅において、空調機器としてのエアーコンディショナ（エアコン）、床暖房又は給湯器などを制御する。制御システムは、オフィス若しくは店舗などの商業施設に関する温度を制御するものであってもよい。また、制御システムは、車内の温度を制御するものであってもよい。制御システムが温度を制御する対象は、特定の構成に限定されるものではない。
【００１９】
図１は、この発明の一実施形態に係る制御システム１の構成例を概略的に示す図である。  
図１が示すように、制御システム１は、サーバ装置１０、検出装置２０、携帯端末３０及び住宅１００などから構成される。住宅１００は、制御装置４０などを備える。なお、制御システム１は、図１に示すような構成の他に必要に応じた構成を具備したり、特定の構成を除外したりしてもよい。
【００２０】
サーバ装置１０（情報処理装置）は、住宅１００の外部に設置される。サーバ装置１０は、インターネットなどの通信網５０を通じて携帯端末３０及び制御装置４０などとデータを送受信する。サーバ装置１０は、携帯端末３０などからのデータに基づいて、住宅１００に関する温度を制御する制御情報を生成する。サーバ装置１０は、生成した制御情報を制御装置４０へ送信する。また、サーバ装置１０は、携帯端末３０などからのデータに基づいて、ユーザに提示するアドバイス情報を生成する。サーバ装置１０は、生成したアドバイス情報を携帯端末３０へ送信する。  
サーバ装置１０については、図２などを用いて後に詳述する。
【００２１】
検出装置２０は、ユーザの腕に取り付けられる腕時計型のウェアラブル端末である。検出装置２０は、種々のセンサを用いてユーザの生体情報を取得する。また、検出装置２０は、ユーザの体に生じた加速度を示す加速度情報を取得する。また、検出装置２０は、種々のセンサを通じて周囲の環境情報を取得する。検出装置２０は、取得した生体情報、加速度情報及び環境情報をサーバ装置１０へ送信するか、または携帯端末３０を経由して送信する。
【００２２】
なお、検出装置２０は、ユーザの生体情報を検出できるものであればどのようなセンサを使用してもよく、また装置のタイプもウェアラブル端末に限定されるものではない。  
検出装置２０については、図３などを用いて後に詳述する。
【００２３】
携帯端末３０は、ユーザが所持する端末である。たとえば、携帯端末３０は、ノートＰＣ、タブレットＰＣ、スマートフォン又はウェアラブル端末である。携帯端末３０は、インターネットなどの通信網５０を通じてサーバ装置１０とデータを送受信する。携帯端末３０は、検出装置２０からのデータをサーバ装置１０へ送信する。また、携帯端末３０は、サーバ装置１０からのアドバイス情報を提示する。  
携帯端末３０については、図４などを用いて後に詳述する。
【００２４】
住宅１００は、ユーザが住居する住宅である。住宅１００は、住宅１００に関する温度を制御する温度制御装置を備える。住宅１００については、図５などを用いて後に詳述する。
【００２５】
制御装置４０は、インターネットなどの通信網５０を通じてサーバ装置１０とデータを送受信する。制御装置４０は、サーバ装置１０からの制御情報に基づいて、住宅１００に関する温度を制御する。制御装置４０は、住宅１００に設置される温度制御装置を有線又は無線で接続する。制御装置４０は、温度制御装置に対して設定温度などを示す情報を送信し、温度制御装置を制御する。制御装置４０は、温度制御装置を制御することで、住宅１００に関連する温度を制御する。たとえば、制御装置４０は、専用端末、ディスクトップ型のパーソナルコンピュータ（ＰＣ）、ノートＰＣ、タブレットＰＣ又はスマートフォンなどである。
【００２６】
次に、サーバ装置１０について説明する。  
図２は、一実施形態に係るサーバ装置１０の構成例を示すブロック図である。  
図２が示す構成例において、サーバ装置１０は、プロセッサ１１、メモリ１２、通信部１３、操作部１４及び表示部１５などを備える。これらの各部は、データバスを介して互いに接続される。なお、サーバ装置１０は、図２が示すような構成の他に必要に応じた構成を具備したり、特定の構成を除外したりしてもよい。
【００２７】
プロセッサ１１は、サーバ装置１０全体の動作を制御する機能を有する。プロセッサ１１は、内部キャッシュ及び各種のインターフェースなどを備えてもよい。プロセッサ１１は、内部キャッシュ又はメモリ１２が予め記憶するプログラムを実行することにより種々の処理を実現する。
【００２８】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００２９】
メモリ１２は、種々のデータを格納する。たとえば、メモリ１２は、ＲＯＭ、ＲＡＭ及びＮＶＭとして機能する。  
たとえば、メモリ１２は、制御プログラム及び制御データなどを記憶する。制御プログラム及び制御データは、サーバ装置１０の仕様に応じて予め組み込まれる。たとえば、制御プログラムは、サーバ装置１０で実現する機能をサポートするプログラムなどである。
【００３０】
また、メモリ１２は、プロセッサ１１の処理中のデータなどを一時的に格納する。また、メモリ１２は、アプリケーションプログラムの実行に必要なデータ及びアプリケーションプログラムの実行結果などを格納してもよい。
【００３１】
通信部１３は、携帯端末３０及び制御装置４０とデータを送受信するためのインターフェースである。通信部１３は、インターネットなどの通信網５０を通じて携帯端末３０及び制御装置４０とデータを送受信する。たとえば、通信部１３は、ＬＡＮ接続などをサポートするものである。
【００３２】
操作部１４は、たとえば、キーボード、テンキー及びタッチパネルから構成される。操作部１４は、サーバ装置１０のオペレータが入力した種々の操作指示を取り込み、オペレータに入力された操作指示を表す信号をプロセッサ１１へ送信する。
【００３３】
表示部１５は、たとえば液晶モニタから構成される。表示部１５は、プロセッサ１１の制御により種々の情報を表示する。なお、操作部１４がタッチパネルなどで構成される場合、表示部１５は、操作部１４と一体的に形成されてもよい。
【００３４】
次に、検出装置２０について説明する。  
図３は、一実施形態に係る検出装置２０の構成例を示すブロック図である。  
図３が示す構成例において、検出装置２０は、プロセッサ２１、メモリ２２、通信部２３、操作部２４、表示部２５、生体センサ２６、加速度センサ２７及び環境センサ２８などを備える。これらの各部は、データバスを介して互いに接続される。なお、検出装置２０は、図３が示すような構成の他に必要に応じた構成を具備したり、特定の構成を除外したりしてもよい。
【００３５】
プロセッサ２１は、検出装置２０全体の動作を制御する機能を有する。プロセッサ２１は、内部キャッシュ及び各種のインターフェースなどを備えてもよい。プロセッサ２１は、内部キャッシュ又はメモリ２２が予め記憶するプログラムを実行することにより種々の処理を実現する。
【００３６】
なお、プロセッサ２１がプログラムを実行することにより実現する各種の機能のうちの一部は、ハードウエア回路により実現されるものであってもよい。この場合、プロセッサ２１は、ハードウエア回路により実行される機能を制御する。
【００３７】
メモリ２２は、種々のデータを格納する。たとえば、メモリ２２は、制御プログラム及び制御データなどを記憶する。制御プログラム及び制御データは、検出装置２０の仕様に応じて予め組み込まれる。制御プログラムは、検出装置２０で実現する機能をサポートするプログラムなどである。
【００３８】
また、メモリ２２は、プロセッサ２１の処理中のデータなどを一時的に格納する。また、メモリ２２は、アプリケーションプログラムの実行に必要なデータ及びアプリケーションプログラムの実行結果などを格納してもよい。メモリ２２は、ユーザの生体情報、加速度情報又は環境情報などを一時的又は非一時的に格納する。
【００３９】
通信部２３は、携帯端末３０とデータを送受信するためのインターフェースである。たとえば、通信部２３は、有線又は無線回線を介して携帯端末３０と接続する。たとえば、通信部２３は、ＬＡＮ接続、ＵＳＢ接続又はｂｌｕｅｔｏｏｔｈをサポートするものであってもよい。
【００４０】
操作部２４は、たとえば、テンキー及びタッチパネルから構成される。操作部２４は、検出装置２０を装着するユーザが入力した種々の操作指示を取り込み、当該操作指示を表す信号をプロセッサ２１へ出力する。
【００４１】
表示部２５は、たとえば液晶モニタから構成される。表示部２５は、プロセッサ２１の制御により種々の情報を表示する。なお、操作部２４がタッチパネルなどで構成される場合、表示部２５は、操作部２４と一体的に形成されてもよい。
【００４２】
生体センサ２６は、測定対象とする生体情報を測定するためのセンサから構成される。生体センサ２６は、連続でユーザの生体に関する生体情報を測定する。生体センサ２６は、少なくとも血圧を測定する血圧センサ２６１を含む。なお、生体センサ２６は、心拍を測定する心拍センサ、心電図を測定する心電センサ、脈波を測定する脈波センサ、脈拍を測定する脈拍センサ、体温を測定する体温センサ又は発汗状態を測定する発汗センサなどを含むものであってもよい。また、生体センサ２６は、頭部に設置され脳波を測定するセンサからセンサデータを受信するものであってもよい。
【００４３】
血圧センサ２６１は、生体情報として、ユーザの血圧を測定するセンサである。たとえば、血圧センサ２６１は、ユーザの心拍の一拍ごと（連続的）に血圧を測定可能な血圧センサ（以降、連続型の血圧センサと称する）である。連続型の血圧センサは、脈波伝播時間（ＰＴＴ；Ｐｕｌｓｅ  Ｔｒａｎｓｉｔ  Ｔｉｍｅ）からユーザの血圧を連続測定するものであってもよいし、トノメトリ法または他の技法により連続測定を実現してもよい。なお、血圧センサ２６１は、特定の構成に限定されるものではない。
【００４４】
また、血圧センサ２６１以外の各センサも、連続又は所定の時間間隔でユーザの生体情報を測定する。すなわち、生体センサ２６を構成する各センサは、心臓が一拍鼓動するごと（連続的）に生体情報を測定してもよいし、所定の時間間隔で生体情報を測定してもよい。
【００４５】
また、生体センサ２６を構成する各センサは、測定結果を示す測定値（生体情報の状態を示す値（生体情報の測定値））をプロセッサ２１へ出力する。たとえば、生体センサ２６の各センサは、生体情報を測定する度に測定した生体情報の測定値をプロセッサ２１へ出力してもよい。また、生体センサ２６の各センサは、所定の時間間隔で生体情報の測定値をプロセッサ２１へ送信してもよい。また、生体センサ２６は、バッファ用のメモリを有し、所定の時間間隔内で測定した生体情報の測定値をまとめてプロセッサ２１へ出力してもよい。
【００４６】
加速度センサ２７は、加速度センサ２７が受ける加速度を検出する。加速度センサ２７は、ユーザの体の一部に生じた加速度（動き）を検出する。検出装置２０がユーザの手首に取り付けられているため、加速度センサ２７は、ユーザの手首に生じる３軸の加速度情報（動き情報）を検出する。加速度センサ２７は、加速度の測定値を示す加速度情報をプロセッサ２１へ出力する。
【００４７】
環境センサ２８は、連続でユーザの周辺の環境を示す環境情報を測定する。たとえば、環境センサ２８は、環境情報としての気温を測定する気温センサ２８１を含む。なお、環境センサ２８は、湿度を測定する湿度センサ、気圧を測定する気圧センサ、照度を測定する照度センサ又は音を測定するマイクなどを備えてもよい。
【００４８】
気温センサ２８１は、サーミスタ、熱電対又は赤外線センサなどから構成される。気温センサ２８１は、ユーザの周辺の気温を測定する。また、気温センサ２８１は、検知部が実際に測定する値をユーザの体温の影響に応じて補正した値を気温の測定値として出力するものであってもよい。気温センサ２８１の構成は、特定の構成に限定されるものではない。なお、プロセッサ２１が気温センサ２８１の測定値をユーザの体温の影響に応じて補正することにより気温を測定してもよい。
【００４９】
また、環境センサ２８の各センサは、測定結果を示す値（環境状態を示す値（環境情報の測定値））をプロセッサ２１へ出力する。たとえば、環境センサ２８は、環境情報を測定する度に当該環境情報の測定値をプロセッサ２１へ出力してもよい。また、環境センサ２８の各センサは、所定の時間間隔で環境情報の測定値をプロセッサ２１へ送信してもよい。たとえば、環境センサ２８は、バッファメモリを有し、所定の間隔内で測定した環境情報の測定値をまとめてプロセッサ２１へ送信してもよい。
【００５０】
なお、検出装置２０は、ジャイロセンサなどを備えてもよい。たとえば、ジャイロセンサは、３軸方向の回転を検出し、検出結果をプロセッサ２１へ送信する。
【００５１】
次に、携帯端末３０について説明する。  
図４は、一実施形態に係る携帯端末３０の構成例を示すブロック図である。  
図４が示す構成例において、携帯端末３０は、プロセッサ３１、メモリ３２、第１の通信部３３、第２の通信部３４、操作部３５及び表示部３６などを備える。これらの各部は、データバスを介して互いに接続される。なお、携帯端末３０は、図４が示すような構成の他に必要に応じた構成を具備したり、特定の構成を除外したりしてもよい。
【００５２】
プロセッサ３１は、携帯端末３０全体の動作を制御する機能を有する。プロセッサ３１は、内部キャッシュ及び各種のインターフェースなどを備えてもよい。プロセッサ３１は、内部キャッシュ又はメモリ３２が予め記憶するプログラムを実行することにより種々の処理を実現する。
【００５３】
なお、プロセッサ３１がプログラムを実行することにより実現する各種の機能のうちの一部は、ハードウエア回路により実現されるものであってもよい。この場合、プロセッサ３１は、ハードウエア回路により実行される機能を制御する。
【００５４】
メモリ３２は、種々のデータを格納する。たとえば、メモリ３２は、ＲＯＭ、ＲＡＭ及びＮＶＭとして機能する。  
たとえば、メモリ３２は、制御プログラム及び制御データなどを記憶する。制御プログラム及び制御データは、携帯端末３０の仕様に応じて予め組み込まれる。たとえば、制御プログラムは、携帯端末３０で実現する機能をサポートするプログラムなどである。
【００５５】
また、メモリ３２は、プロセッサ３１の処理中のデータなどを一時的に格納する。また、メモリ３２は、アプリケーションプログラムの実行に必要なデータ及びアプリケーションプログラムの実行結果などを格納してもよい。
【００５６】
第１の通信部３３は、サーバ装置１０とデータを送受信するためのインターフェースである。第１の通信部３３は、インターネットなどの通信網５０を通じてサーバ装置１０とデータを送受信する。たとえば、第１の通信部３３は、ＬＡＮ接続などをサポートするものである。
【００５７】
第２の通信部３４は、検出装置２０とデータを送受信するためのインターフェースである。第２の通信部３４は、無線又は有線で検出装置２０と接続する。たとえば、第１の通信部３３は、ＬＡＮ接続、ＵＳＢ接続又はｂｌｕｅｔｏｏｔｈなどをサポートするものである。  
なお、第１の通信部３３と第２の通信部３４とは、一体的に形成されてもよい。
【００５８】
操作部３５は、たとえば、キーボード、テンキー及びタッチパネルから構成される。操作部３５は、ユーザが入力した種々の操作指示を取り込み、ユーザに入力された操作指示を表す信号をプロセッサ３１へ送信する。
【００５９】
表示部３６は、たとえば液晶モニタから構成される。表示部３６は、プロセッサ３１の制御により種々の情報を表示する。なお、操作部３５がタッチパネルなどで構成される場合、表示部３６は、操作部３５と一体的に形成されてもよい。
【００６０】
次に、住宅１００について説明する。  
図５は、一実施形態に係る住宅１００の構成例を示すブロック図である。  
図５が示す構成例において、住宅１００は、制御装置４０、温度制御装置、照明１０４及び人感センサ１０５などを備える。住宅１００は、温度制御装置として、エアコン１０１、床暖房１０２及び給湯器１０３を備える。なお、住宅１００は、温度制御装置として、さらに他の装置を備えてもよし、特定の構成を除外してもよい。また、住宅１００は、図５が示すような構成の他に必要に応じた構成を具備したり、特定の構成を除外したりしてもよい。
【００６１】
前述の通り、制御装置４０は、温度制御装置としてのエアコン１０１、床暖房１０２及び給湯器１０３を制御する。なお、制御装置４０は、照明１０４を制御してもよい。
【００６２】
エアコン１０１は、無線又は有線で制御装置４０とデータを送受信する。エアコン１０１は、制御装置４０からの信号に従って住宅１００の所定の室内の温度を制御する。たとえば、エアコン１０１は、制御装置４０からの信号に従ってオン／オフ制御及び温度設定を行う。たとえば、エアコン１０１は、温風又は冷風を室内に供給し室内の温度を制御する。なお、エアコン１０１は、ユーザの操作に従って室内の温度を制御してもよい。
【００６３】
床暖房１０２は、無線又は有線で制御装置４０とデータを送受信する。床暖房１０２は、制御装置４０からの信号に従って住宅１００の所定の床面を加熱する。たとえば、床暖房１０２は、制御装置４０からの信号に従ってオン／オフ制御及び強度設定を行う。たとえば、床暖房１０２は、電熱線などを用いて床面を加熱する。なお、床暖房１０２は、ユーザの操作に従って床面を加熱してもよい。
【００６４】
給湯器１０３は、無線又は有線で制御装置４０とデータを送受信する。ここでは、給湯器１０３は、浴槽に張られる湯の温度又はシャワーの温度を制御するものとする。給湯器１０３は、制御装置４０からの信号に従って水を加熱する。たとえば、給湯器１０３は、制御装置４０からの信号に従って加熱温度を設定する。たとえば、給湯器１０３は、ガスを用いて水を加熱する。なお、給湯器１０３は、ユーザの操作に従って加熱温度を設定してもよい。
【００６５】
照明１０４は、無線又は有線で制御装置４０とデータを送受信する。照明１０４は、制御装置４０からの信号に従ってオン／オフ制御する。また、照明１０４は、制御装置４０からの信号に従って明るさを設定してもよい。なお、給湯器１０３は、ユーザの操作に従ってオン／オフ制御及び明るさの設定を行ってもよい。
【００６６】
人感センサ１０５は、住宅１００にユーザがいることを検知する。人感センサ１０５は、たとえば、赤外線センサなどである。人感センサ１０５は、住宅１００にユーザがいることを検知すると、ユーザを検知したことを示す検知信号を制御装置４０へ送信する。なお、人感センサ１０５は、所定の部屋にユーザがいることを検知してもよい。
【００６７】
次に、サーバ装置１０、検出装置２０及び携帯端末３０が実現する機能について説明する。  
まず、検出装置２０のプロセッサ２１が実現する機能について説明する。  
まず、プロセッサ２１は、生体センサ２６の各センサから生体情報を取得する機能を有する。たとえば、プロセッサ２１は、血圧センサ２６１から生体情報として血圧の測定値（血圧値）を取得する。
【００６８】
たとえば、プロセッサ２１は、血圧センサ２６１に対して血圧値を取得するコマンドを送信し、当該コマンドに対するレスポンスとして血圧値を取得する。また、プロセッサ２１は、血圧センサ２６１が所定のタイミングで送信する血圧値を取得してもよい。なお、プロセッサ２１は、生体センサ２６から、生体情報の測定値として、心拍、心電、脈波、脈拍、体温、発汗又は脳波の測定値を取得してもよい。
【００６９】
また、プロセッサ２１は、加速度センサ２７から加速度情報を取得する機能を有する。  
たとえば、プロセッサ２１は、加速度センサ２７に対して加速度情報を取得するコマンドを送信し、当該コマンドに対するレスポンスとして加速度情報を取得する。また、プロセッサ２１は、加速度センサ２７が所定のタイミングで送信する加速度情報を取得してもよい。
【００７０】
また、プロセッサ２１は、環境センサ２８から環境情報を取得する機能を有する。たとえば、プロセッサ２１は、気温センサ２８１から環境情報の測定値として気温を取得する。
【００７１】
たとえば、プロセッサ２１は、気温センサ２８１に対して気温を取得するコマンドを送信し、当該コマンドに対するレスポンスとして気温を取得する。また、プロセッサ２１は、気温センサ２８１が所定のタイミングで送信する気温を取得してもよい。なお、プロセッサ２１は、環境センサ２８から、環境情報の測定値として、湿度、気圧、照度又は音の状態を示す値を取得してもよい。
【００７２】
また、プロセッサ２１は、生体情報、加速度情報及び環境情報を携帯端末３０へ送信する機能を有する。  
たとえば、プロセッサ２１は、通信部２３を通じて生体情報、加速度情報及び環境情報を携帯端末３０へ送信する。
【００７３】
たとえば、プロセッサ２１は、通信部２３を通じて生体情報、加速度情報及び環境情報のリクエストを携帯端末３０から受信すると、当該リクエストに対するレスポンスとして生体情報、加速度情報及び環境情報を送信する。また、プロセッサ２１は、通信部２３を通じて、所定のタイミングで（たとえば、携帯端末３０と通信が確立した時）生体情報、加速度情報及び環境情報を携帯端末３０へ送信してもよい。
【００７４】
また、プロセッサ２１は、生体情報、加速度情報及び環境情報に時刻を示す時刻情報を含めてもよい。たとえば、プロセッサ２１は、生体情報の測定値、加速度情報の測定値及び環境情報の測定値を測定した時刻を示す時刻情報をそれぞれ生体情報、加速度情報及び環境情報に含めてもよい。  
また、プロセッサ２１は、生体センサ２６、加速度センサ２７及び環境センサ２８から各測定値が測定された時刻を示す時刻情報を取得してもよい。
【００７５】
なお、プロセッサ２１は、生体情報、加速度情報及び環境情報を個別に携帯端末３０へ送信してもよい。たとえば、プロセッサ２１は、生体情報、加速度情報及び環境情報のそれぞれを要求するリクエストを受信して、当該リクエストに対するレスポンスとして生体情報、加速度情報及び環境情報のそれぞれを携帯端末３０に送信してもよい。  
また、プロセッサ２１は、加速度情報を携帯端末３０へ送信しなくともよい。また、プロセッサ２１は、他の情報を携帯端末３０へ送信してもよい。
【００７６】
次に、携帯端末３０のプロセッサ３１が実現する機能について説明する。  
まず、プロセッサ３１は、生体情報を取得する機能を有する。プロセッサ３１は、第２の通信部３４を通じて検出装置２０から生体情報を取得する。たとえば、プロセッサ３１は、第２の通信部３４を通じて生体情報のリクエストを検出装置２０へ送信し、当該リクエストに対するレスポンスとして生体情報を受信する。また、プロセッサ３１は、第２の通信部３４を通じて検出装置２０が所定のタイミングで送信する生体情報を受信してもよい。
【００７７】
また、プロセッサ３１は、加速度情報を取得する機能を有する。プロセッサ３１は、第２の通信部３４を通じて検出装置２０から加速度情報を取得する。たとえば、プロセッサ３１は、第２の通信部３４を通じて加速度情報のリクエストを検出装置２０へ送信し、当該リクエストに対するレスポンスとして加速度情報を受信する。また、プロセッサ３１は、第２の通信部３４を通じて検出装置２０が所定のタイミングで送信する加速度情報を受信してもよい。
【００７８】
また、プロセッサ３１は、環境情報を取得する機能を有する。プロセッサ３１は、第２の通信部３４を通じて検出装置２０から環境情報を取得する。たとえば、プロセッサ３１は、第２の通信部３４を通じて環境情報のリクエストを検出装置２０へ送信し、当該リクエストに対するレスポンスとして環境情報を受信する。また、プロセッサ３１は、第２の通信部３４を通じて検出装置２０が所定のタイミングで送信する環境情報を受信してもよい。
【００７９】
なお、プロセッサ３１は、検出装置２０以外の装置から環境情報を取得してもよい。たとえば、制御システム１は、環境情報を測定する測定装置を所定の位置（たとえば、住宅１００内）に備えてもよい。たとえば、測定装置は、温度センサなどから構成されてもよい。たとえば、プロセッサ３１は、温度などの測定値を示す環境情報を測定装置から取得してもよい。
【００８０】
また、プロセッサ３１は、生体情報、加速度情報及び環境情報をサーバ装置１０へ送信する機能を有する。  
たとえば、プロセッサ３１は、第１の通信部３３を通じて生体情報、加速度情報及び環境情報をサーバ装置１０へ送信する。
【００８１】
たとえば、プロセッサ３１は、第１の通信部３３を通じて生体情報、加速度情報及び環境情報のリクエストをサーバ装置１０から受信すると、当該リクエストに対するレスポンスとして生体情報、加速度情報及び環境情報を送信する。また、プロセッサ３１は、第１の通信部３３を通じて、所定のタイミング（アプリ起動時など）で生体情報、加速度情報及び環境情報をサーバ装置１０へ送信してもよい。
【００８２】
なお、プロセッサ３１は、生体情報、加速度情報及び環境情報を個別にサーバ装置１０へ送信してもよい。たとえば、プロセッサ３１は、生体情報、加速度情報及び環境情報のそれぞれを要求するリクエストを受信して、当該リクエストに対するレスポンスとして生体情報、加速度情報及び環境情報のそれぞれをサーバ装置１０に送信してもよい。
【００８３】
また、プロセッサ３１は、サーバ装置１０からのアドバイス情報を表示部３６に表示する機能を有する。  
プロセッサ３１は、第１の通信部３３を通じて、サーバ装置１０からアドバイス情報を取得する。たとえば、プロセッサ３１は、アドバイス情報を要求するリクエストをサーバ装置１０に送信し、当該リクエストに対するレスポンスとしてアドバイス情報を受信する。また、プロセッサ３１は、第１の通信部３３を通じてサーバ装置１０が所定のタイミングで送信するアドバイス情報を受信してもよい。  
プロセッサ３１は、受信したアドバイス情報を表示部３６に表示する。
【００８４】
アドバイス情報は、環境変化に対するユーザの対応を支援するための情報である。たとえば、アドバイス情報は、ユーザに血圧サージを生じさせないための行動指針である。たとえば、アドバイス情報は、ユーザの歩行速度、服装又は移動ルートなどを提示する。
【００８５】
また、アドバイス情報は、ユーザの状態を示すものであってもよい。たとえば、アドバイス情報は、血圧サージが生じる可能性などを示す。
【００８６】
たとえば、アドバイス情報は、行動指針を示すメッセージ及びユーザの状態を示す図形（個数又は大きさでユーザの状態を示すハートマークなど）などから構成されてもよい。
【００８７】
次に、サーバ装置１０のプロセッサ１１が実現する機能について説明する。  
図６は、サーバ装置１０が実現する機能を示すブロック図である。図６が示すように、サーバ装置１０は、生体情報取得部４１、加速度情報取得部４２、環境情報取得部４３、外部情報取得部４４、判定部４５、制御情報生成部４６及びアドバイス情報生成部４７などを備える。これらの機能は、プロセッサ１１がメモリ１２などに格納されるプログラムを実行することによって実現される。
【００８８】
まず、プロセッサ１１は、生体情報取得部４１として、生体情報を取得する機能を有する。プロセッサ１１は、通信部１３を通じて携帯端末３０から生体情報を取得する。たとえば、プロセッサ１１は、通信部１３を通じて生体情報のリクエストを携帯端末３０へ送信し、当該リクエストに対するレスポンスとして生体情報を受信する。また、プロセッサ１１は、通信部１３を通じて携帯端末３０が所定のタイミングで送信する生体情報を受信してもよい。
【００８９】
また、プロセッサ１１は、加速度情報取得部４２として、加速度情報を取得する機能を有する。プロセッサ１１は、通信部１３を通じて携帯端末３０から加速度情報を取得する。たとえば、プロセッサ１１は、通信部１３を通じて加速度情報のリクエストを携帯端末３０へ送信し、当該リクエストに対するレスポンスとして加速度情報を受信する。また、プロセッサ１１は、通信部１３を通じて携帯端末３０が所定のタイミングで送信する加速度情報を受信してもよい。
【００９０】
また、プロセッサ１１は、環境情報取得部４３として、環境情報を取得する機能を有する。プロセッサ１１は、通信部１３を通じて携帯端末３０から環境情報を取得する。たとえば、プロセッサ１１は、通信部１３を通じて環境情報のリクエストを携帯端末３０へ送信し、当該リクエストに対するレスポンスとして環境情報を受信する。また、プロセッサ１１は、通信部１３を通じて携帯端末３０が所定のタイミングで送信する環境情報を受信してもよい。  
なお、プロセッサ１１は、携帯端末３０から生体情報、加速度情報及び環境情報を同時に取得するものであってもよい。
【００９１】
また、プロセッサ１１は、外部情報取得部４４として、外部情報を取得する機能を有する。外部情報は、ユーザに血圧の変動を引き起こす可能性がある外的要因に関連する情報である。ここでは、外部情報は、天候に関する情報である。たとえば、外部情報は、現在の気温及び天気予報で示される将来の気温を示す情報を含む。
【００９２】
プロセッサ１１は、外部装置から外部情報を取得する。たとえば、プロセッサ１１は、通信部１３を通じて外部情報のリクエストを外部装置へ送信し、当該リクエストに対するレスポンスとして外部情報を受信する。たとえば、プロセッサ１１は、気象庁のサーバなどから外部情報を取得する。
【００９３】
また、プロセッサ１１は、判定部４５として、ユーザの温度感受性を判定する機能を有する。温度感受性は、ユーザの血圧サージと気温変動との関連性の強さを示す指標である。
【００９４】
血圧サージは、血圧の急激な上昇である。たとえば、血圧サージは、所定の時間内において所定の閾値を超える血圧の上昇である。
【００９５】
プロセッサ１１は、生体情報が示す血圧値及び環境情報が示す気温に基づいて温度感受性を判定する。たとえば、プロセッサ１１は、生体情報が示す血圧値に基づいて血圧サージを抽出する。血圧サージを抽出すると、プロセッサ１１は、血圧サージの期間における血圧値を時系列で取得する。
【００９６】
また、プロセッサ１１は、環境情報が示す気温に基づいて、抽出した血圧サージが生じた期間における気温を時系列で取得する。  
プロセッサ１１は、取得された時系列の血圧値と取得された時系列の気温との間に相関を判定する。プロセッサ１１は、判定した相関に基づいてユーザの温度感受性を判定する。
【００９７】
なお、プロセッサ１１は、血圧サージには至らない血圧上昇にさらに基づいて温度感受性を判定してもよい。たとえば、プロセッサ１１は、血圧上昇の期間における時系列の血圧値と当該期間における時系列の気温との間の相関に基づいて温度感受性を判定してもよい。
【００９８】
また、プロセッサ１１は、時間毎の温度感受性を判定してもよい。たとえば、プロセッサ１１は、朝−昼までの間の温度感受性、昼−夜までの間の温度感受性及び夜−朝までの間の温度感受性をそれぞれ判定してもよい。
【００９９】
また、プロセッサ１１は、さらに加速度情報に基づいて温度感受性を判定してもよい。たとえば、プロセッサ１１は、加速度情報に基づいてユーザの活動量を判定する。プロセッサ１１は、ユーザの活動量に基づいて血圧サージと気温変動との相関を補正する。
【０１００】
ユーザの活動量が上昇すると血圧が上昇することが知られているため、プロセッサ１１は、ユーザの活動量が上昇した期間に血圧が上昇すると、血圧変動が活動量によるものと判定する。即ち、プロセッサ１１は、ユーザの活動量が上昇した期間において血圧サージ（又は、血圧上昇）が生じた場合、血圧値と気温との相関を小さく（又は、相関がないものと）判定する。
【０１０１】
また、プロセッサ１１は、環境情報が示す気温以外のパラメータにさらに基づいて温度感受性を判定してもよい。たとえば、プロセッサ１１は、ユーザの周囲の音などに基づいて相関を補正し、温度感受性を判定してもよい。
【０１０２】
また、プロセッサ１１は、生体情報が示す血圧値以外のパラメータにさらに基づいて温度感受性を判定してもよい。  
プロセッサ１１が温度感受性を判定する方法は、特定の方法に限定されるものではない。
【０１０３】
また、プロセッサ１１は、制御情報生成部４６として、温度感受性及び外部情報に基づいて制御情報を生成する機能を有する。制御情報は、ユーザが接する環境を制御するための情報である。ユーザが接する環境は、ユーザが滞在する空間の温度、又は、ユーザが利用する浴槽の湯の温度若しくはシャワーの温度などである。たとえば、制御情報は、住宅１００に設置される温度制御装置（エアコン１０１など）を制御する。
【０１０４】
たとえば、プロセッサ１１は、温度感受性を示す値及び外部情報が示す気温に対応する制御情報を示すテーブルを参照して、制御情報を取得する。
【０１０５】
プロセッサ１１は、ユーザに血圧サージが生じないような制御情報を生成する。たとえば、プロセッサ１１は、ユーザが急激な気温変動に晒されないように制御情報を生成する。
【０１０６】
制御情報は、ユーザが屋内外または屋内の部屋間を移動する場合に移動前の空間の気温と移動後の空間の気温との差を小さくする。  
たとえば、プロセッサ１１は、ユーザが外から住宅１００に入る際に気温変動が大きくならないように制御情報を生成する。  
プロセッサ１１は、外部情報に基づいて住宅１００周辺の外気の温度を取得する。プロセッサ１１は、住宅１００周辺の外気の温度と住宅１００内の温度との差異が小さくなるように、制御情報を生成する。たとえば、プロセッサ１１は、外気の温度が比較的低い場合、外気の温度よりも所定の温度高く、かつ、外気の温度との差が所定の閾値（たとえば、ユーザの温度感受性で耐えうる温度差）以下となる範囲で、住宅１００内の温度を設定する制御情報を生成する。
【０１０７】
また、プロセッサ１１は、外気の温度が比較的高い場合、外気の温度よりも所定の温度低く、かつ、外気の温度との差が所定の閾値（たとえば、ユーザの温度感受性で耐えうる温度差）以下となる範囲で、住宅１００内の温度を設定する制御情報を生成する。  
たとえば、プロセッサ１１は、エアコン１０１に設定する温度として、当該温度を設定する制御情報を生成する。
【０１０８】
また、プロセッサ１１は、住宅１００周辺の外気の温度などに基づいて、床暖房１０２のオン／オフ及び強度を決定する。たとえば、プロセッサ１１は、住宅１００内の温度が上記の温度となるように、床暖房１０２のオン／オフ及び強度を決定する。プロセッサ１１は、床暖房１０２のオン／オフ及び強度を含む制御情報を生成する。
【０１０９】
また、プロセッサ１１は、住宅１００において、入浴する際にユーザが急激な温度変動に晒されないように制御情報を生成する。  
たとえば、プロセッサ１１は、住宅１００の室内の温度と入浴する湯又はシャワーの温度が小さくなるように（たとえば、所定の閾値以下になるように）、制御情報を生成する。たとえば、プロセッサ１１は、給湯器１０３に設定する温度として、住宅１００の室内のとの差異が所定の閾値以下となる温度を含む制御情報を生成する。
【０１１０】
また、プロセッサ１１は、ユーザが住宅１００（又は、所定の室内）に入った時から、徐々に温度を上げる（又は、下げる）制御情報を生成してもよい。たとえば、プロセッサ１１は、エアコン１０１に対する設定として、ユーザが住宅１００に入ってから所定の割合で温度を上げる（又は下げる）ことを示す制御情報を生成する。また、プロセッサ１１は、住宅１００内の温度を所定の温度に設定しつつ、ユーザが住宅１００に入った時から徐々に温度を上げる（又は、下げる）制御情報を生成してもよい。
【０１１１】
なお、上記の制御情報を受信した制御装置４０は、人感センサ１０５を用いてユーザが住宅１００に入ったことを検知するまで待機する。ユーザを検知すると、制御装置４０は、制御情報に従って、徐々に住宅１００内の温度を上げる（又は下げる）。
【０１１２】
プロセッサ１１は、温度感受性及び外部情報以外の情報にさらに基づいて制御情報を生成してもよい。たとえば、プロセッサ１１は、生体情報が示す心電等に基づいてユーザの不整脈を検出し、当該不整脈の状態などに基づいて制御情報を生成してもよい。
【０１１３】
また、プロセッサ１１は、時間毎の制御を示す制御情報を生成してもよい。たとえば、プロセッサ１１は、朝−昼までの間における温度制御装置の制御、昼−夜までの間における温度制御装置の制御及び夜−朝までにおける温度制御装置の制御を示す制御情報を生成してもよい。  
プロセッサ１１が制御情報を生成する方法及び制御情報の内容は、特定の構成に限定されるものではない。
【０１１４】
また、プロセッサ１１は、他の温度制御装置を制御する情報を制御情報に格納してもよい。また、プロセッサ１１は、照明１０４などの温度制御装置以外の装置を制御する情報を制御情報に格納してもよい。
【０１１５】
プロセッサ１１は、通信部１３を通じて、生成した制御情報を制御装置４０へ送信する。たとえば、プロセッサ１１は、制御装置４０からのリクエストに対するレスポンスとして制御情報を制御装置４０へ送信する。
【０１１６】
また、プロセッサ１１は、アドバイス情報生成部４７として、温度感受性及び外部情報に基づいてアドバイス情報を生成する機能を有する。  
たとえば、プロセッサ１１は、温度感受性を示す値及び外部情報が示す気温に対応するアドバイス情報を示すテーブルを参照して、アドバイス情報を取得する。
【０１１７】
プロセッサ１１は、ユーザに血圧サージが生じないようなアドバイス情報を生成する。たとえば、前述の通り、アドバイス情報は、歩行速度、服装又は移動ルートに関する。
【０１１８】
プロセッサ１１は、ユーザに血圧サージが生じる可能性が高い場合（たとえば、温度感受性が高く気温が所定の閾値よりも低い（又は高い）場合）、ユーザに血圧サージを生じさせないための行動指針を示すアドバイス情報を生成する。たとえば、アドバイス情報は、比較的遅い速度で歩行するように指示する、睡眠時若しくは外出時などの服装として厚手の服装を指示する又は高低差の少ない移動ルートを提示するメッセージなどである。
【０１１９】
また、プロセッサ１１は、ユーザの状態をさらに含むアドバイス情報を生成してもよい。たとえば、プロセッサ１１は、ユーザに血圧サージが生じる可能性を示す図形を含むアドバイス情報を生成する。たとえば、アドバイス情報は、可能性が高ければ、小さなハートマークを含み、可能性が低ければ、大きなハートマークを含んでもよい。また、アドバイス情報は、ハートマークの個数で可能性を示すものであってもよい。
【０１２０】
また、プロセッサ１１は、ユーザの生体情報に基づくユーザの健康状態をさらに含むアドバイス情報を生成してもよい。たとえば、プロセッサ１１は、ユーザの不整脈の状態を含むアドバイス情報を生成してもよい。  
また、プロセッサ１１は、ユーザの健康状態に応じて所定の医療機関を受診することを促すメッセージをさらに含むアドバイス情報を生成してもよい。
【０１２１】
また、プロセッサ１１は、制御情報をさらに含むアドバイス情報を生成してもよい。たとえば、プロセッサ１１は、エアコン１０１に設定した温度などを含むアドバイス情報を生成してもよい。  
プロセッサ１１がアドバイスを生成する方法及びアドバイス情報の内容は、特定の構成に限定されるものではない。
【０１２２】
プロセッサ１１は、通信部１３を通じて、生成したアドバイス情報を携帯端末３０へ送信する。たとえば、プロセッサ１１は、携帯端末３０からのリクエストに対するレスポンスとしてアドバイス情報を制御装置４０へ送信する。
【０１２３】
次に、サーバ装置１０の動作例について説明する。  
図７は、サーバ装置１０の動作例について説明するためのフローチャートである。  
まず、サーバ装置１０のプロセッサ１１は、通信部１３を通じて携帯端末３０から生体情報を取得する（Ｓ１１）。生体情報を取得すると、プロセッサ１１は、通信部１３を通じて携帯端末３０から加速度情報を取得する（Ｓ１２）。
【０１２４】
加速度情報を取得すると、プロセッサ１１は、通信部１３を通じて携帯端末３０から環境情報を取得する（Ｓ１３）。環境情報を取得すると、プロセッサ１１は、ユーザの温度感受性を判定する（Ｓ１４）。温度感受性を判定すると、プロセッサ１１は、外部情報を取得する（Ｓ１５）。
【０１２５】
外部情報を取得すると、プロセッサ１１は、外部情報及び温度感受性に基づいて制御情報を生成する（Ｓ１６）。制御情報を生成すると、プロセッサ１１は、通信部１３を通じて、生成した制御情報を制御装置４０へ送信する（Ｓ１７）。
【０１２６】
制御情報を制御装置４０へ送信すると、プロセッサ１１は、外部情報及び温度感受性に基づいてアドバイス情報を生成する（Ｓ１８）。アドバイス情報を生成すると、プロセッサ１１は、通信部１３を通じて、生成したアドバイス情報を携帯端末３０へ送信する（Ｓ１９）。  
アドバイス情報を携帯端末３０へ送信すると、プロセッサ１１は、動作を終了する。
【０１２７】
プロセッサ１１は、携帯端末３０から生体情報を取得すると（Ｓ１１が起こると）、Ｓ１２以降を実行してもよい。また、プロセッサ１１は、携帯端末３０からアドバイス情報を要求するリクエストを受信した場合に、Ｓ１１乃至Ｓ１９を行ってもよい。また、プロセッサ１１は、制御装置４０から制御情報を要求するリクエストを受信した場合に、Ｓ１１乃至Ｓ１９を行ってもよい。また、プロセッサ１１は、所定のタイミング（所定の時刻など）でＳ１１乃至Ｓ１９を行ってもよい。
【０１２８】
また、プロセッサ１１は、Ｓ１１乃至１３を異なる順序又は同時に行ってもよい。また、プロセッサ１１は、Ｓ１５の後にＳ１４を行ってもよい。また、プロセッサ１１は、Ｓ１８の後にＳ１６を行ってもよい。
【０１２９】
また、検出装置２０は、携帯端末３０の機能を有するものであってもよい。たとえば、検出装置２０は、セルラーネットワーク又はルータなどを介してサーバ装置１０とデータを送受信する。検出装置２０は、サーバ装置１０へ生体情報、加速度情報及び環境情報などを送信する。検出装置２０は、アドバイス情報をサーバ装置１０から受信する。検出装置２０は、アドバイス情報を表示部２５などに表示する。
【０１３０】
また、検出装置２０は、サーバ装置１０の機能を有するものであってもよい。たとえば、検出装置２０は、外部情報を取得する。検出装置２０は、温度感受性及び外部情報などに基づいて制御情報を生成し制御装置４０へ送信する。また、検出装置２０は、温度感受性及び外部情報などに基づいてアドバイス情報を生成し表示部２５などに表示する。
【０１３１】
以上に述べたように実施形態によれば、サーバ装置は、生体情報及び環境情報などに基づいてユーザの温度感受性を判定する。また、サーバ装置は、天候などの外部情報及び温度感受性などに基づいて、血圧サージが生じないようにユーザの住宅内の気温などを制御する。そのため、サーバ装置は、血圧サージが生じないようにユーザ周辺の温度を制御することができる。
【０１３２】
また、サーバ装置は、血圧サージが生じないようにアドバイス情報をユーザに提示する。  
その結果、サーバ装置は、ユーザに血圧サージが生じることを防止することができる。
【０１３３】
なお、本発明は、上記実施形態に限定されるものではない。例えば、制御対象は、気温以外に、湿度や気圧であってもよく、またこれらを組み合わせたものもであってもよい。また、前記一実施形態では、サーバ装置は、エアコン又は暖房機器等を制御することにより室内の気温を調整するようにした。しかし、サーバ装置は、それに限らず、例えば衣類に備えられた発熱装置を制御するようにしてもよい。
【０１３４】
また前記実施形態では、サーバ装置１０が、生体情報、加速度情報、環境情報及び外部情報の取得処理、温度感受性の判定処理、制御情報およびアドバイス情報の生成処理を行う場合を例にとって説明した。しかし、それに限らず、ユーザが常時装着するウェアラブル端末、スマートフォン又はタブレット型端末等の携帯端末が上記各処理機能を備えるようにしてもよい。
【０１３５】
その他、環境に対するユーザの感受性を判定する手法、環境を制御するための制御情報の生成手法と制御の内容等についても、本発明のその要旨を逸脱しない範囲で種々に変形することが可能である。
【０１３６】
また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【０１３７】
上記実施形態の一部または全部は、以下の付記のようにも記載され得るが、以下には限られるものではない。  
（付記１）
メモリと
前記メモリに格納されるプログラムで動作するプロセッサと、
を備え、
前記プロセッサは、
ユーザの少なくとも血圧を含む生体情報を取得し、
環境に関する環境情報を取得し、
前記生体情報及び前記環境情報に基づいて、前記環境に対する前記ユーザの感受性を判定し、
前記ユーザに血圧の変動を引き起こす可能性がある外的要因に関連する外部情報を取得し、
前記感受性及び前記外部情報に基づいて、前記ユーザが接する環境を制御するための制御情報を生成する、
情報処理装置。
（付記２）
プロセッサによって実行される情報処理方法であって、
ユーザの少なくとも血圧を含む生体情報を取得し、
環境に関する環境情報を取得し、
前記生体情報及び前記環境情報に基づいて、前記環境に対する前記ユーザの感受性を判定し、
前記ユーザに血圧の変動を引き起こす可能性がある外的要因に関連する外部情報を取得し、
前記感受性及び前記外部情報に基づいて、前記ユーザが接する環境を制御するための制御情報を生成する、
情報処理方法。
【符号の説明】
【０１３８】
１…制御システム、１０…サーバ装置、１１…プロセッサ、１３…通信部、２０…検出装置、２１…プロセッサ、２６…生体センサ、２７…加速度センサ、２８…環境センサ、３０…携帯端末、３１…プロセッサ、３３…第１の通信部、３４…第２の通信部、３６…表示部、４０…制御装置、１０１…エアコン、１０２…床暖房、１０３…給湯器、２６１…血圧センサ、２８１…気温センサ。
【図１】
2018194206.tif 000003
【図２】
2018194206.tif 000004
【図３】
2018194206.tif 000005
【図４】
2018194206.tif 000006
【図５】
2018194206.tif 000007
【図６】
2018194206.tif 000008
【図７】
2018194206.tif 000009